(57)【特許請求の範囲】
【請求項１】
下地板材の上に第１列のスレートを並べ、第１列のスレートの略上半部に重合して第２列のスレートを並べ、以下同様に一部を重合して配列するスレート葺き屋根において、
各スレートの、次列のスレートを重合させる位置を、釘によってスレート下側の下地板材に固定し、
次列のスレートを重合した後、重合部分に、２枚のスレートを貫通して挟着用の下穴を設け、
各下穴の上側から、基端にストッパーを備えたさや材とこのさや材の先端から基端に貫通されて頭部分で係止されるピンとからなるカシメ挟着部材を、頭側から挿入して、重合された２枚のスレートの下側に突出し、
カシメ挟着部材を上側スレートに押圧した状態でピンの基端側突出部を引っ張ることにより、さや材の先端突出部を頭部分で押し拡げてカシメ、
継続して加えられるピンへの引っ張り力により、予め切り欠きエッジを形成するなどして設けられているピンの破断位置でピンを破断することを特徴とするスレート葺き屋根におけるスレート固定方法。
【請求項２】
板材の上に第１列のスレートが並べられ、第１列のスレートの略上半部に重合して第２列のスレートが並べられ、以下同様に一部を重合して配列されたスレート連結体であって、
各スレートの、次列のスレートを重合される位置が、釘によってスレート下側の板材に固定され、
次列のスレートを重合した重合部分に、２枚のスレートを貫通して挟着用の下穴が設けられ、
各下穴に、基端にストッパーを備えたさや材とこのさや材の先端から基端に貫通されて頭部分で係止されるピンとからなるカシメ挟着部材が、頭側から挿入して重合された２枚のスレートの下側に突出され、
カシメ挟着部材を上側スレートに押圧した状態でピンの基端突出部が引っ張られることにより、さや材の先端突出部を頭部分で押し拡げてカシメられ、
継続して加えられるピンへの引っ張り力により、予め設けられているピンの破断位置でピンを切断されてなることを特徴とするスレート連結体。
【発明の詳細な説明】
【０００１】
【発明の属する技術分野】
本発明は、スレート葺き屋根におけるスレート固定方法およびスレート連結体に関する。
【０００２】
【従来の技術】
これまで屋根を葺くのに使用されるスレートは、次の３つの方法によって固定されていた。
（１）図９に示すように、重合されるスレートの下側となる見えない部分を複数個の釘ｃによってその下側の野地板材ｄに固定する（在来工法）。
（２）図１０に示すように、前記（１）の方法によって固定されたスレートの重合部を釘ｉによってその下側の野地板材ｄに固定する（脳天釘打ち工法）。
（３）下側スレートａをＪ形の吊り子ｂとともに釘ｃによりスレート下側の野地板材ｄに固定し、上側となる次列のスレートａは下端部をＪ形の吊り子ｂに保持された状態で別のＪ形の吊り子ｂとともに同じく野地板材ｄに固定する（引っ掛け式の吊り子工法、図１１，１２参照）。
【０００３】
【発明が解決しようとする課題】
しかしながら、前記第１の在来工法の固定方法では、台風や強風などが吹いた場合、上側のスレートから出ている下側スレートの部分ｆが、台風や強風などの負圧作用によって浮き上がる方向の力ｇを受けるため、てこの原理によって応力が集中する上側スレートの下端縁に当たる部分ｈで破損されたり、スレートを固定している釘ｃがゆるめられたりする不都合があった。
また、前記第２の脳天釘打ち工法による固定方法では、上側スレートと下側スレートの重合部分を固定している釘ｉの働きによってスレートが受ける浮き上がり力ｇは、前記第１の固定方法の場合に比べて軽減されるが、上側スレートと下側スレートの重合部分を固定している釘の頭が外側に露出しているため、釘の頭とスレートとの間の隙間部分から上下のスレートにあけられた下穴ｊ，ｋと釘ｉとの隙間部分を通して屋根の内側に雨水が侵入してくるおそれがあり、この対策が大変であった。
【０００４】
そして、前記第３の吊り子工法の固定方法では、重合される各スレートａの下端縁はＪ形の吊り子ｂの折り返し部分によって保持されているため、台風や強風などの負圧作用を受けたときにも浮き上がりを防止されるが、吊り子ｂの厚さのために横に並んだ吊り子ｂ，ｂの間の上下スレートａ，ａの隙間部分から吹き上げられた雨水が釘ｃに沿って屋根の内側に侵入する不都合があった。
また、破損されたスレートａを取り換える場合、Ｊ形の吊り子ｂが釘ｃの抜き取りを妨げるため、スレートａの取り換えが難しく、取り換え時に余分な手数と費用とがかかっていた。
本発明はこれらの事情に鑑みてなされたもので、一部を重合されたスレートが台風などの負圧を受けた場合にも破損されにくく、スレート重合部の連結個所から雨水が侵入しないようにするとともに、破損されたスレートの取り換えを容易に行い得るようにしたスレート重合部の挟着連結方法およびそのスレート連結体の提供を目的としたものである。
【０００５】
【課題を解決するための手段】
本発明は前記目的を達成すべくなされたもので、第１の発明は、野地板材の上に第１列のスレートを並べ、第１列のスレートの上半部に重合して第２列のスレートを並べ、以下同様に一部を重合して配列するスレート葺き屋根において、各スレートの、次列のスレートを重合される位置を、釘によってスレート下側の野地板材に固定し、次列のスレートを重合した後、重合部分に、２枚のスレートを貫通して挟着用の下穴を設け、各下穴の上側から、基端にストッパーを備えたさや材とこのさや材の先端から基端に貫通されて頭部分で係止されるピンとからなるカシメ挟着部材を、頭側から挿入して重合された２枚のスレートの下側に突出し、カシメ挟着部材を上側スレートに押圧した状態でピンの基端突出部を引っ張ることにより、さや材の先端突出部を頭部分で押し拡げてカシメ、継続して加えられるピンへの引っ張り力により、ストッパーより先端側の位置に予め設けられているピンの切り欠きエッジの部分等の破断位置でピンを破断することを特徴とするスレート葺き屋根におけるスレート固定方法である。
【０００６】
また、第２の発明は、板材の上に第１列のスレートが並べられ、第１列のスレートの略上半部に重合して第２列のスレートが並べられ、以下同様に一部を重合して配列されたスレート連結体であって、各スレートの、次列のスレートを重合される位置が、釘によってスレート下側の板材に固定され、次列のスレートを重合した重合部分に、２枚のスレートを貫通して挟着用の下穴が設けられ、各下穴に、基端にストッパーを備えたさや材とこのさや材の先端から基端に貫通されて頭部分で係止されるピンとからなるカシメ挟着部材が、頭側から挿入して重合された２枚のスレートの下側に突出され、カシメ挟着部材を上側スレートに押圧した状態でピンの基端突出部が引っ張られることにより、さや材の先端突出部を頭部分で押し拡げてカシメられ、継続して加えられるピンへの引っ張り力により、ストッパーより先端側の位置に予め設けられているピンの破断位置でピンを切断されてなることを特徴とするスレート連結体である。
【０００７】
【発明の実施の形態】
以下、本発明に係る実施例を図面に基づいて説明する。
図１ないし図８は、本発明の屋根葺きに使用されるスレートを示すものである。
１は屋根葺きなどに使用される平形彩色スレート（以下スレートと略記する）で、このスレート１には方形や亀甲形などの形状のものが用いられる。
スレート１は使用時に一部を重合して配列されるが（図１，図２参照）、重合されたとき下側となる外から見えない部分には、複数個、例えば４個（スレート１の大きさ、形状によって異なる）の釘穴１ａが予めあけられている。
１ｂはスレート１，１の重合部分にあけられる挟着用の下穴で（図４参照）、この下穴１ｂは１枚のスレート１に対し通常２個ずつあけられる。
釘穴１ａと下穴１ｂは、重合された配列状態で同一直線上に位置しないよう位置決めされるのが好ましい。
【０００８】
Ａはスレート重合部を連結するカシメ挟着部材で、このカシメ挟着部材Ａは、図３に示すように、基端に外側に湾曲する形状のストッパー２ａを備えたさや材２と、このさや材２の先端（図の下側）から胴部３ｂを基端向き（図で上向き）に突出されて頭部分である丸頭３ａの部分で係止されるピン３とからなる。
ピン３の丸頭３ａの外径はさや材２の外径とほぼ同じ大きさに形成されている。ピン３の胴部３ｂは２枚のスレートが重ね合わされるスレート重合部から突出する十分な長さを有する他、丸頭３ａからの設定された寸法位置に、切り欠きエッジ３ｃが設けられている。切り欠きエッジ３ｃは、ピン３に引っ張り力が加わった場合に最も早く破断する破断位置を形成する手段であって、さや材２の下端側をカシメた状態においてもストッパー２ａから外側に出ないように位置決めされる。
さや材２とピン３はいずれも金属製で、たとえばアルミニウム、あるいはアルミニュウム合金を用いて作られる。
【０００９】
スレート重合部の挟着連結方法は、上記の構成部材を用いて次の手順により行われる。
（１）傾斜した下地板材である野地板材４の上面に、下から順に各スレート１を、列毎に幅の１／２だけ横方向にずらした形で、縦方向の略半部を重合するように配列し、配列する度に各釘穴１ａに挿入した釘５により、各スレート１を野地板材４に固定する。
（２）スレート重合部に、挟着用の下穴１ｂを、重合しているスレート１，１にのみあける。この場合、スレートより下側のアスファルトルーフィングのような下葺材６には穴をあけない。
（３）スレート重合部にあけられた下穴１ｂの上側から、ストッパー２ａの下側にシリコンパッキン７を装着したカシメ挟着部材Ａを挿入し、その先端部を下側のスレート１から突出させる（図４，図５参照）。
【００１０】
（４）カシメ挟着部材Ａのストッパー２ａを上側スレート１に押圧した状態で、ストッパー２ａより基端側（図で上側）に突出しているピン３の胴部３ｂを把持して上側に引っ張る（図６参照）。この操作により、下側スレート１から突出しているさや材２の内側にピン３の丸頭３ａが引っ張り込まれるため、さや材２の下側突出端は内側から外側に向けて押し拡げる形でカシメられ、下側スレート１の下穴１ｂとさや材２との間の隙間だけでなく、さや材２の内面とピン３の丸頭３ａとの間の隙間部分も確実に塞がれる（図７参照）。
しかも、この操作はさや材２の下側突出端をカシメるだけでなく、上側スレート１に押圧されたさや材２のストッパー２ａを押圧してカシメるため、上側スレート１の下穴１ｂとさや材２との間の隙間も確実に塞がれる。
（５）カシメが終了した後も、ピン３の胴部３ｂを引っ張り続けると、ピン３はさや材２の内側に位置している破断位置である切り欠きエッジ３ｃの部分で切断され、それより基端側の胴部３ｂはさや材２の外側に取り出される（図８参照）。
（６）以上の連結作業を野地板材４の上面に配列されたスレート１の全体について行うと、スレート１による屋根葺きは終了する。
【００１１】
スレート１を垂直な壁面等に用いる場合には、下地板材４は垂直方向となり、スレート１の各重合部分を前記手順によって連結していけば、垂直な壁用下地板材にスレート重合部を挟着状態に連結して固定することができる。
【００１２】
【発明の効果】
本発明によれば、次に記載するすぐれた効果が得られる。
請求項１に記載の固定方法においては、スレート重合部は上側スレートに押圧されるさや材のストッパーと、ピンの頭により下側スレートにカシメられるさや材の下側突出部とによって挟着状態に連結されるため、連結されたスレートは、従来の脳天釘打ち工法や吊り子工法の場合と異なり、より強固な連板状態となる。
このため、連結されたスレートに台風などの負圧が作用した場合にも、下側スレートは上側スレートの下端縁に応力の集中を受けなくなり、この部分における破損の発生を防止することができる。
しかも、連結されたスレートが連板状態になると、各スレートを固定している釘に作用する負荷も少なくなるため、固定されたスレートがゆるみにくく、スレートが破損して落下するおそれをなくすことができる。
【００１３】
また、スレートの下穴とさや材との間の隙間部分は、上側が、押圧によって変形されるさや材のストッパーによって塞がれ、下側が、さや材の突出部分のカシメによって完全に塞がれる他、さや材内部の隙間は、さや材の下側突出端をカシメているピンの頭部分によって塞がれるため、スレート重合部の連結個所からの雨水の侵入を確実に防止することができる。
また、スレートが何らかの原因により破損された場合には、上側スレート上に露出しているストッパー部分からドリルによって切除すると、カシメ挟着部材の残った部分を下穴から容易に除去できるため、破損されたスレートの取り換えも簡単な操作と少ない費用とにより効果的に行うことができる。
その上、スレート重合部の連結に用いるカシメ挟着部材は、スレートを葺いたのちに装着できるため従来用いられていたＪ形の吊り子に比べて装着が容易であり、連結に要する時間が従来の場合より格段に短時間でなし得る。
【００１４】
請求項２に記載のスレート連結体においては、スレート重合部は、下穴に挿入されるカシメ挟着部材の上下のカシメによって上側スレートと下側スレートとを挟着する形で連結するため、スレート連結体は、従来の場合に比べてより強固な連板状態となる。
それ故、スレート重合部の挟着連結方法について詳述した場合と同じく、スレートの破損や雨水の侵入をより効果的に防止し、破損したスレートの取り換えを少ない手数と費用とにより能率良く行うことができる。
【図面の簡単な説明】
【図１】本発明の一実施例を示す縦断面図である。
【図２】図１の平面図である。
【図３】カシメ挟着部材の一例を示す縦断面図である。
【図４】スレート重合部の下穴にカシメ挟着部材を挿入する直前の状態を示す縦断面図である。
【図５】カシメ挟着部材の挿入後の状態を示す縦断面図である。
【図６】カシメ挟着部材によるカシメ方を示す縦断面図である。
【図７】カシメ挟着部材によるカシメ状態を示す縦断面図である。
【図８】カシメ挟着部材による連結状態を示す縦断面図である。
【図９】従来のスレートの固定状態を示す断面図である。
【図１０】従来の他のスレートの固定状態を示す断面図である。
【図１１】従来例のＪ形吊り子を用いたスレートの固定状態を示す縦断面図である。
【図１２】Ｊ形吊り子の取り付け状態を示す平面図である。
【符号の説明】
１      スレート
１ｂ    下穴
２      さや材
２ａ    ストッパー
３      ピン
３ａ    丸頭
３ｂ    胴部
３ｃ    切り欠きエッジ
４      野地板材
Ａ      カシメ挟着部材
【図１】
0003686986.tif 000002
【図２】
0003686986.tif 000003
【図３】
0003686986.tif 000004
【図４】
0003686986.tif 000005
【図５】
0003686986.tif 000006
【図６】
0003686986.tif 000007
【図７】
0003686986.tif 000008
【図８】
0003686986.tif 000009
【図９】
0003686986.tif 000010
【図１０】
0003686986.tif 000011
【図１１】
0003686986.tif 000012
【図１２】
0003686986.tif 000013